(57)【特許請求の範囲】
【請求項１】
屋根を保護するための空気力学的に安定したルーフバラストシステム（10）であって、該システム（10）は、前記屋根の上に幅方向に敷き詰めて置かれた複数のブロック（12）からなり、各前記ブロック（12）は、上面（16）、底面（18）、及び該底面（18）を前記屋根から離隔させ該屋根との間で室を形成するための脚手段（36）とを具えた本体を有し、さらに、各ブロック（12）は、前記屋根上の前記室に前記ブロック（12）を通って流体の排出を許容する一方、前記ブロックの上面と底面の間の空気力学的に誘発される如何なる圧力差をも均等化するように前記上面（16）と室との間の流体連通をもたらすチャンネル手段を有し、該チャンネル手段が幅方向に接し合うブロック（12）間の選択された位置（24,26）に具えられ、前記チャンネル手段が前記選択位置において隣り合うブロック（12）の間に複数のサイドチャンネル（32,34a,34b）を含み、前記サイドチャネルが前記底面（18）にある開口と面に直角方向にずれた開口を前記上面（16）に画定しており、かくして、前記バラストシステム（10）は異常な風に対しても空気力学的に安定である、ルーフバラストシステム（10）。
【請求項２】
屋根を保護するための空気力学的に安定したルーフバラストシステム（10）であって、該システム（10）は、前記屋根の上に幅方向に敷き詰めて置かれた複数のブロック（12）からなり、各前記ブロック（12）は、上面（16）、底面（18）、及び該底面（18）を前記屋根から離隔させ該屋根との間で室を形成するための脚手段（36）とを具えた本体を有し、さらに、各ブロック（12）は、前記屋根上の前記室に前記ブロック（12）を通って流体の排出を許容する一方、前記ブロック間の上面と底面の間の空気力学的に誘発される如何なる圧力差をも均等化するように前記上面（16）と室との間の流体連通をもたらすチャンネル手段を有し、該チャンネル手段（50）が各前記ブロック（12）の前記本体内の選択された位置に具えられ、前記チャンネル手段（50）が前記上面（16）と前記底面（18）の間に角度をなして延び、前記底面（18）に形成された開口から面に直角方向にずれた開口が前記上面（16）に具えられ、かくして、前記バラストシステム（10）は異常な風に対しても空気力学的に安定である、ルーフバラストシステム（10）。
【請求項３】
空気力学的に安定なルーフバラストシステム（10）を構成するために同様なブロック（12）とともに組み立てられるものであって、前記ブロック（12）は、上面（16）、底面（18）、その下の屋根構造上で前記底面を支えるための脚部手段（36）を具えた本体を有し、前記本体には、前記ブロック（12）の前記上面（16）と前記底面（18）の間に流体通路をもたらすための少なくとも１つのチャンネル（50）が形成され、該少なくとも１つのチャンネル（50）が前記上面（16）と前記底面（18）に開口を形成し、前記上面の開口が前記底面の開口から面に直角方向にずれていて、前記チャンネル（50）が前記両開口を連結し、かくして、ブロック（12）が屋根に上に幅方向に接し合って置かれたとき、前記ブロックのチャンネル（50）が該ブロック（12）の両側の空気圧を等しくすることによって、該ブロックを持ち上げようとする空気力学的に誘発された圧力を吸収するようになっている、バラストブロック（12）。
【請求項４】
空気力学的に安定なルーフバラストシステム（10）を構成するために同様なブロック（12）とともに組み立てられるものであって、前記ブロック（12）は、上面（16）、底面（18）、その下の屋根構造上で前記底面を支えるための脚部手段（36）を具えた本体を有し、前記本体には、前記ブロック（12）の前記上面（16）と前記底面（18）の間に流体通路をもたらすための少なくとも１つのチャンネル（50）が形成され、前記チャンネル（50）が前記上面（16）と前記底面（18）に開口を形成し、前記チャンネル（50）が前記ブロック（12）の厚さ方向に横切って延び、前記上面の開口と底面の開口が面に直角方向に整列して配列され、かくして、ブロック（12）が屋根に上に幅方向に接し合って置かれたとき、前記ブロックのチャンネル（50）が該ブロック（12）の両側の空気圧を等しくすることによって、該ブロックを持ち上げようとする空気力学的に誘発された圧力を吸収するようになっている、バラストブロック（12）。
【請求項５】
空気力学的に安定なルーフバラストシステム（10）を構成するために同様なブロック（12）とともに組み立てられるものであって、前記ブロック（12）は、上面（16）、底面（18）、その下の屋根構造上で前記底面を支えるための脚部手段（36）を具えた本体を有し、前記本体には、前記ブロック（12）の前記上面（16）と前記底面（18）の間に流体通路をもたらすための少なくとも１つのチャンネル（50）が形成され、前記チャンネル（50）が前記ブロック（12）を通り抜けて前記上面の開口に対して斜めに延び、前記底面の開口とずれていて、かくして、ブロック（12）が屋根に上に幅方向に接し合って置かれたとき、前記ブロックのチャンネル（50）が該ブロック（12）の両側の空気圧を等しくすることによって、該ブロックを持ち上げようとする空気力学的に誘発された圧力を吸収するようになっている、バラストブロック（12）。
【請求項６】
空気力学的に安定なルーフバラストシステム（10）を構成するために同様なブロック（12）とともに組み立てられるものであって、前記ブロック（12）は、上面（16）、底面（18）、その下の屋根構造上で前記底面を支えるための脚部手段（36）を具えた本体を有し、前記本体には、前記ブロック（12）の前記上面（16）と前記底面（18）の間に流体通路をもたらすための少なくとも１つのチャンネルが形成され、前記ブロック（12）は、前記上面（16）と前記底面（18）の間に延びる周囲の端面（20,22,24,26）を有し、前記周囲の端面（20,22,24,26）の少なくとも１つの選択された端面（20,22）は、同様の構造の隣り合うブロック（12）と幅方向に重なる相補的手段を有し、前記少なくとも１つのチャンネル（50）が前記上面（16）と前記底面（18）に開口を形成し、前記上面の開口が前記底面の開口から面に直角方向にずれていて、かくして、ブロック（12）が屋根に上に幅方向に接し合って置かれたとき、前記チャンネル（50）が該ブロック（12）の両側の空気圧を等しくすることによって、該ブロックを持ち上げようとする空気力学的に誘発された圧力を吸収するようになっている、バラストブロック（10）。
【請求項７】
空気力学的に安定なルーフバラストシステム（10）を構成するために同様なブロック（12）とともに組み立てられるものであって、前記ブロック（12）は、上面（16）、底面（18）、その下の屋根構造上で前記底面を支えるための脚手段（36）を具えた本体を有し、前記ブロック（12）は、前記上面（16）と前記底面（18）の間に延びる周囲の端面（20,22,24,26）を有し、前記本体には、前記ブロック（12）の前記上面（16）と前記底面（18）の間に流体通路をもたらすための少なくとも１つのチャンネルが形成され、前記ブロック（12）の前記周囲の端面（20,22,24,26）の少なくとも１つの選択された端面（20,22）は、同様の構造の隣り合うブロック（12）と幅方向にロックし合う相補的手段を有し、前記少なくとも１つのチャンネル（50）が前記上面（16）と前記底面（18）に開口を形成し、前記上面の開口が前記底面の開口から面に直角方向にずれていて、かくして、ブロック（12）が屋根に上に幅方向に接し合って置かれたとき、前記チャンネル（50）が該ブロック（12）の両側の空気圧を等しくすることによって、該ブロックを持ち上げようとする空気力学的に誘発される圧力を吸収するようになっている、バラストブロック（12）。
【請求項８】
前記少なくとも１つのチャンネル（50）が前記ブロック（50）の端面に凹所を形成している、請求項７のバラストブロック（12）。
【請求項９】
屋根を保護するための空気力学的に安定なルーフバラストシステム（10）であって、前記システム（10）は前記屋根の上に幅方向に敷き詰められた複数のブロック（12）からなり、各前記ブロック（12）は、上面（16）、底面（18）を具えた本体を有し、各ブロック（12）は前記ブロック（12）の上面と底面の間の空気力学的に誘発される圧力を等しくするために前記上面（16）と前記底面（18）の間の流体通路をもたらすチャンネル手段を有し、前記チャンネル手段が幅方向に接し合うブロック（12）の間の選択された位置（24）に具えられ、前記チャンネル手段が前記選択された位置（24）において前記隣り合うブロックの間に配置された複数のサイドチャンネル（32,34a,34b）を含み、前記サイドチャネルが前記底面（18）にある開口と面に直角方向にずれた開口を前記上面（16）に画定している、ルーフバラストシステム（10）。
【発明の詳細な説明】
発明の分野
本発明は、全体として、ルーフペービングシステム（roof paving system）に、特に、異常な風の条件において空気力学的に安定な、保護された膜タイプの屋根システムの改良、及びそのようなシステムに使用されるバラストブロックに関する。
発明の背景
最近のルーフペイバー（roof paver）技術の向上は、特に、緩い傾斜の屋根やデッキに適した、単一層の保護された膜（membrane）屋根システムの導入という結果をもたらした。それらは、通常、様々なタイプと形状のバラストシステムによって、定位置に保持され、暴風雨から保護された断熱層とともに、又は断熱層を使用しないで、水を浸透させない単一層の膜を含む。基本的なシステムには、川砂利のような、緩く敷き詰められた丸い石、標準的な敷きブロック、突条と溝を具えたボード、そして、軽量の連結式バラストブロックを含む。一般的に、バラストシステムは、従来の屋根建築システムよりも、速い風速に抵抗することができるので、強風に曝されることが予期される場所において、従来の屋根建築システムよりも好まれている。研究によって、連結ブロックを利用するバラストシステムは、強風状態でも、連結されていないブロックより良く機能することが示された。
連結ブロックは、通常、連続した格子パターンで屋根膜上に敷き詰められる、押し出された、或いは、プレキャストコンクリートの平たい矩形のものである。しかし、この構成でも、或る天候状態では、バラストブロックの抜け出しがないことは保証されない。ハリケーンのような強風が、屋根の不規則な、弱い箇所を通り過ぎると、ブロックを横切り、ブロックをその場から離れさせようとする空気力学的な圧力が誘発される。単にバラストブロックをより重く、屋根の支持をより強力にする代わりに、様々なデザインがこの引き離し力に抵抗するために考えられたが、前述の軽量バラストブロックのように、互いに端部が連結されるものがその一例である。しかし、これらのデザイン上の努力にも拘らず、バラストブロックに働く正味の上向きの空気力学的な力は、ブロックを飛翔するミサイルのように空気中に浮揚させ、基礎をなす屋根の膜と構造を危険にさらすばかりか、近隣の人々や他の建築物をも危険にさらすことになる。
米国特許第5,377,468号には、いくつかの特徴をもたらす空気力学的に安定なバラストブロックとルーフシステムの改良が開示されている。これらの特徴には、ブロックを確実に連結することと、紫外線からの屋根の膜の完全な保護を含む。このブロックとシステムは、広範囲の天候状態に左右される、広い地理的な区域での使用に適している。
特許されたブロックの特徴のすべてが要求されない使用条件や応用例もあり得る。
例えば、屋根の膜上の紫外線に対する関心がさほどではない地域では、ブロックを横切るラビリンス流体通路が形成されていない、穴付きブロックが利用されてもよい。連続的ではない結合で十分な他の状況では、ブロックは、互いに浮き上がりに抵抗するように係合された他の端面構造を具えたものでもよいであろう。本発明は、このような条件に対応するためのブロックと屋根システムを提供する。
発明の目的
以上のことを念頭において、異常な風の条件下で、所定の場所からの持ち上げに抵抗するように設計され、据え付けられるルーフペイバー（roof paver）システム、及びバラスト・ブロックを提供することが本発明の目的である。もう１つの目的は、ブロック上部で、空気力学的に惹き起こされる（induce）圧力減少にさらされたとき、ブロックの上面と底面の間を自由に空気が通ることを許容するように、同様の構造の隣り合うブロックとともに使用するのに適したルーフ・バラスト・ブロックを提供することである。
さらにもう１つの目的は、据え付けられたブロックの上下の空気圧を等しくするように、そして流体の通過を許容ように、チャンネルを形成するバラスト・ブロックを提供することである。
本発明のさらなる目的は、異常な風の条件によって惹き起こされる空気力学的な持ち上がりに起因する破損、及び凍りついたり、解けたりのサイクルに起因する劣化に対抗するバラスト・ブロックのユニークな配列による屋根構造を提供することである。
また、さらなる目的は、軽量で、取り扱い時の破損に強く、低価格で製造することができ、比較的取り付けやすいプレハブ式（pre−fabricated）バラスト・ブロックを提供することである。
発明の概要
簡単に言えば、本発明のこれら及びその他の目的は、屋根の膜上にジグザグ配列に置かれる新規な好適バラストブロックによって達成される。各ブロックは、全体として、平行で平らな上面、底面、及び周囲の端面から形成されている。或る実施形態においては、両端の端面が、隣り合うブロックの端面の対応する突条と溝とを連結させるために、それぞれに突き出た突条と相補的な溝を有している。その他の実施形態では、端面は作動的に連結されるように互いに噛み合わされるべき傾斜をつけて重ねられる。さらに別の実施形態では、隣り合うブロックが実質的に直角で接し合うか、或いは、僅かな間隔をおいて並べられる端面を有し、それによって、所定の位置に互いにロックされる。
或る好適実施形態では、対をなす残りの端面がブロックの上面と底面に直角な平面をなしている。他の両端面は、長手方向の溝、及び一定間隔を開けて上面と底面から前記溝に開いている上側と下側の凹所を有している。ブロックの上面と底面に直角な面では、溝の片側にある凹所は、隣り合うブロックの平らな端面に接したとき、ブロックの上面と底面の間に一連のラビリンスチャンネルを形成するように、他方の凹所からずらされている。また、さらに別の実施形態では、チャンネルは、選択された端の表面を横切るように、或いは、それぞれのブロック本体内で形成される。
或る実施形態では、ブロックの底面と屋根の膜の間に空間を作り出すように脚を具えるべく、ブロックの底側からリブが突き出している。チャンネルは、ブロックの下にある空間と通じる排水溝（gutter）、樋（downspout）、或いはそれらに似た流出手段に排水することができる。このチャンネルは、ブロックの上面と底面を横切る空気力学的な力によって生じる如何なる空気差圧も等しくしながら、同時に、排水もする。
【図面の簡単な説明】
これら及びその他の本発明の目的、特徴、利点のより良い理解のために、添付図面とともに、下記の詳細な説明を参照されたい。
図１は、本発明によるバラストブロックを具えたルーフペイバーシステムを適用した建物を上空から見た図である。
図２は、図１のルーフペイバーシステムの或る部分におけるバラストブロックの１つの実施形態の平面図である。
図３は、図２の３−３線に沿ったルーフペイバーシステムの立面図である。
図４は、図２の４−４線に沿ったルーフペイバーシステムのもう１つの実施形態の立面図である。
図５は、図２の５−５線に沿ったルーフペイバーシステムの立面図である。
図６は、バラストブロックの１つの実施形態の下からの斜視図である。
図７は、バラストブロックのもう１つの実施形態の上からの斜視図である。
図８は、バラストブロックの第二の実施形態の下からの斜視図である。
図９は、バラストブロックの第三の実施形態の上からの斜視図である。
図10は、図６の角度のついたチャンネルを具えたバラストブロックの端面からの立面図である。
図11は、バラストブロックの第四の実施形態の上からの斜視図である。
図12は、図６の直角のチャンネルを具えたバラストブロックの端面からの立面図である。
図13と14は、別の好適実施形態の斜視図である。
図15と16は、さらに別の好適実施形態の斜視図である。
図17から20は、異なるブロックの配置図パターンを示す平面図である。
好適実施形態の説明
図を参照すると、図１は、高層ビルの屋根に取り付けられた本発明の膜を保護するルーフシステム10を示している。このような建物は、従来のルーフバラストブロックを持ち上げやすい高速の風に著しく曝される傾向がある。本発明は、高速の風の状態で空気力学的に安定しないという従来のブロックの傾向を、ブロックを横切る空気圧を等しくするユニークな手段を具えることによって克服した。
図２に最も良く示されているように、ルーフバラストシステム10は、好適には、隣り合う列のブロックに沿って並び一列ずつ端面が食い違うように配置され隣り合う列では同じ方向に向いているバラストブロック12からなる。例えば、屋根の手摺り壁Ｐの部分のように正規の大きさのブロックでは不十分な空間である列の端は、幅の狭いブロック12aによって調整される。既に取り付けられている構造における損傷したブロックは、図示されているように、相補的な半分の大きさのブロック12bと12cで置き換えることができ、このことは後で説明する。
次に、図３と４を参照すると、従来のマルチコンポーネントルーフシステムは、単層PVC（ポリ塩化ビニール）シートのような不浸透性の膜Ｍや、断熱材Ｉや、防水層Ｗを含んでいるであろう。その他の従来のマルチコンポーネントルーフシステムは、例えば、使用の状態や建築規約等のような設計の必要条件次第で、本発明のルーフバラストシステムと併用することが想定されている。
図６から12までを全体的に参照すると、各バラストブロック12は、図示された実施形態の場合、全体として長方形の外形をしている。ブロック12は、平らな上面16と底面18、幅方向の両端面20と22、及び長手方向の両端面24と26とを具えるようにコンクリートで形成されている。
ブロック12の各実施形態において、端面の少なくとも２つは、或る方式で隣り合うブロックと相互作用する（interact）。例えば、図７は、幅方向の端面22の全長に沿って延びる幅と深さのテーパ付きの突条30と対応する幅方向の端面20の全長に沿って形成されたテーパ付き溝28を具えたブロック12を図示している。隣り合う列にある図７のブロック12は、その相補的な突条と溝とで端面20と22を相互にロックさせる（interlock）。隣り合う列にあるブロックが食い違いの関係にあるので、ブロック12の端面20、又は22が、それぞれ、隣りの列にある２つのブロック12の端面20、又は22と部分的に重なり合うことを確実にする。このようにして、設置されたブロック12は、通常の持ち上げ力に抵抗するように、互いに作用する。
端面の相互作用を有するブロック12のもう一つの実施形態が、図６と８に示されている。幅方向の端面20と22は実質上垂直であり、隣り合うブロックが幅方向に端面で接することによって、所定の位置に保たれる。ブロックの厚みによっては、ブロックは、そのエッジに沿って僅かに離れていてもよく、作動的係合はブロックが上方に揺れるときに生じるようになっていてもよい。また、コンクリートの接着剤が、ブロックの連結を永久なものにするためにその端面の間に塗られてもよい。図５参照。
端面の相互作用を有するブロック12の、もう１つの実施形態が図９と11に図示されている。この実施形態において、幅方向端面20と22は傾斜させられているので幅方向に隣り合う端面で互いに重なり、合いじゃくり板（shiplap）の形状によって、作動的係合をもたらすことができる。しかし、その他の重り合い形状を、所望の部分的インターロックをもたらすようにに利用することができる。図３、９、11参照。
ブロック12の各実施形態において、風の条件によって惹き起こされる空気力学的な持ち上げ力に抵抗するように、設置されたブロックの上下の空気圧を等しくする手段を有する、空気と水のチャンネルが具えられている。
例えば、図３、８、９と13から16は、望ましい空気と水のチャンネルをもたらす手段の１つの形態を有するブロック12を示している。ブロックの端面24と26は全体として平らで、上面16と底面18に直角であり、長手方向に延びる面24は、その長手方向全長に延びる溝32を含んでいる。上部と下部の凹所34aと34bは、それぞれブロックの端面24に長手方向に間隔をおいて具えられている。凹所34aと34bは、それぞれ、ブロック12の溝32、上面16と底面18の間に完全に延びている。上面16と底面18に直角な面において、上部凹所34aは、好適には、隣りの凹所との間の距離の半分だけ、下部凹所34bから外れている。かくして、図２のように、隣り合うブロック12の端面24と26が接触したとき、ラビリンスチャンネルが端面24を横切るように形成される。凹所34aと34bの数、大きさ、形、位置は、所望のとおりに変更できる。
空気と水のチャンネルをもたらすための違った手段を有するブロック12の他の実施形態が、図６、７、10から12に示されている。これらの実施形態では、チャンネル50がブロックの厚みを横切るように具えられている。チャンネル50は、図12が示すとおり、上面と底面に直角に延びていても、図10が示すとおり、上面と底面に対して或る角度をなしていてもよい。それらは、ブロック本体を通るように、すなわち、その範囲内で貫通していても、或いは、選択された縁（エッジ）に位置してもよい。チャンネル50は、横断面が円形であっても、四角であっても、他の形状であってもよい。円形であって、ブロック本体を真直ぐ横切るように延びる場合、チャンネル50はブロックの上面と底面に円形の開口を形成する。チャンネルが円形でブロックを横切って或る角度をなして延びる場合、それらはブロックの上面と底面に楕円形の開口を形成する。
傾斜したチャンネルは、極端に太陽光線の角度が低い場合を除いて、紫外線の放射から膜を守るという利点を与える。しかし、そのような角度の場合、紫外線の放射はいずれにしても少ない。真直ぐに明けられたチャンネルは、ブロックの厚みに比較して横断面が十分小さく作られていれば、実質的に完全な紫外線からの保護をもたらすことができる。そのような場合には、日中に短時間生じる直接上から照らす日光だけが屋根の膜に当たることになる。チャンネルの数や大きさ、及び開口の形は、これらの目的を果たすために様々であり得る。
以上に図示し、説明したブロックは、ブロックのインターフェイス手段やブロックのチャンネル手段の如何なる組合せも利用することができる。しかし、あらゆるブロックの形状は、ブロックの下に空間を画定するための脚手段を含む。
下の支持表面からブロック12の底面18を離すために、平行に間隔を置かれたリブ、すなわち、脚36が、端面26から端面24に向かって端面26と24の間の距離よりもわずかに短い距離で延びている。それによって、リブ36はブロック12用に各ブロック12の底面18と屋根膜Ｍの間に互いに通じる空間と、サブブロックの排水用に各ブロックの下にある空間Ｃを形成する一連の脚がもたらされる。リブ36は、図示されている実施形態において連続的であるが、そうでなければならない理由はない。さらに、所望の間隔と流体を流れさせる機能が維持されるならば、他の形状のリブを利用することができる。
凹所34aと34b、溝32とブロック12の下側と膜Ｍの間にある空間Ｃの組合せによって、端面24を横切るように形成されたチャンネルの排水と空気流の道筋は、図３の矢印Ａによって最もよく図示されている。ブロックの上面と底面の間の空気力学的に惹き起こされる圧力差を最小限にするため、ブロック12の下にある空間Ｃにおいて連続した空気の流通をもたらす一方、膜Ｍ上で隣り合って支持されたブロック12と、１つのブロック12の平らな端面26が隣り合うブロックの溝付き端面24に接することにより、水はブロック12の上面から膜Ｍ上にある空間Ｃを通って排水される。或いは、前述のような各ブロックの本体に真直ぐに形成されたチャンネル50によって、ブロックの上面と空間の間の連続した空気の流通は達成される。かくして、どの設計が利用されたかに関係なく、図１に図示されている方法で取り付けられる場合、そのブロック12は、空気力学的に安定したルーフペイバーシステムをもたらす。
本発明では、損傷したブロックを容易に取り替えることができる。このために、所定の位置に置かれた後に損傷したブロックは、システムの一体性を失うことなしに、簡単に取り出され、部分的な代替ブロック12bと12cに置き換えらる。図２と５において、最もよく見えるように、各代替ブロック12bと12cは、正規の大きさのブロック12の端面20と22の間の半分の距離より長手方向にわずかに短い。ブロック12bと12cの相補的な端面38と40は、それぞれ隣り合う列にあるブロック12の端面22と20に作動的に連結される。傾斜した突条と溝、又は平らな端面が利用されてもされなくても、このことに変わりはない。端面38と40の反対に位置する傾斜端面42と44は、ブロックの取り付けの間、互いに隙間をもたらし、確実な保持力をもたらすように接着剤46を受け入れるように、取り付け時に端面に横方向の溝が形成される。端面は、図示されているように接着剤46を受けるように傾斜を付けられている必要はなく、平行であっても、取り付けのための隙間を与え接着剤を受け入れるのに十分な他の形状をしていればよい。
限定のためではなく、例示のために、好適なブロック12は、平面図において長方形であり、縦約18インチ、横約12インチ、リブや脚を含む全体の厚み約１と1/4インチである。リブは、高さ約1/4インチである。ある実施形態では、７と1/2インチの中央リブ１つと１インチのサイドリブ２つを具える。ブロック縁に溝を形成している凹所は、約3/8インチ内部に延び、約１から２インチの長さにできる。上部と下部の縁の凹所は、例えば、約１から３インチのように、様々な距離を離して配置できる。好適には、ブロックの縁は、扱い時の損傷を防ぐため、図示されているように傾斜させられる（beveled）。これまで説明したとおり、ブロック本体に形成されたチャンネルは、様々な大きさや形にできる。図示されたブロック12は、従来のルーフバラストブロックコンクリート構造にならって作られた。好適には、重量は10から25ポンドの範囲で、密度は１立方フィート当り150ポンドである。
図示された実施形態の好適ブロックは前述の特定の寸法であり、その他の特徴を有するとしても、或る程度の変更は可能である。例えば、ラビリンスチャンネルのあらゆる利点が必要とされるのでなければ、縁の凹所は、単にブロックの縁を横切ってその上面から底面に延びていてもよい。所望の空気力学的な安定性を維持するために所望の作動的連結用の端面のチャンネルと、サブブロックの間隔をあけた脚とが含まれるならば、平面図の形は、長方形から正方形に、或いはその他の形に変更することができる。
風胴試験から、バラストブロック上のリブの高さは、風の持ち上げ力に抵抗するために、バラストブロックシステムの性能に大いに影響することが分かった。そのため、最適な実施形態では、リブ36は、約1/4インチの高さであるべきである。所望の空気力学的な安定性をもたらすために、バラストブロックシステムの上面と底面を横切る空気圧を十分に等しくしながら、この高さで、水を十分に排水することができる。ブロックの下の排水がより少なくても十分である、降水量の少ない地域では、リブの高さは1/4インチよりかなり低くてもよく、リブなしブロックを利用することもできる。
風の状況が余り厳しくないことが予想される場合は、ブロック構造のさらなる変更が可能である。図示されていないが考慮された変更には、脚やチャンネル手段のない連結手段を有するブロックがある。同様に、脚手段のみ、或いは、チャンネル手段のみを有するブロックも考えられる。さらに、連結と脚手段のみのもの、連結とチャンネル手段のみのもの、脚とチャンネル手段のみのものも可能である。
ブロックには、好適な配置パターンがある。例えば、図17に最もよく見られるように、図１で図示されているような非常に望まれる食い違いの配置パターンが表されている。図18は、予想される風の条件が図17の食い違い配置パターンを望ましいとするようなものより厳しくない所で利用される、いわゆる整列パターンを示している。図19と20は、図17の配置パターンを望ましいとするようなものよりもっと厳しい風の条件で好適なその他の食い違い配置パターンを示している。これらの図では、文字Ｅがブロックの平らな縁の位置を、文字Ｔが噛み合わされる突条と溝を具えたブロック上の突条の位置を示している。すべての配置パターンにおいて、周辺、すなわち、手摺りの壁が水切り（flashing）を具えているとき、安定性という利点のあることが分かった。また、或る条件の下では、適切な留め金具によってコーナーのブロックを固定することが望ましい。
本発明の多くの利点があることは今や明らかであろう。例えば、バラストブロックは、特に異常な風の条件下での使用に適した、空気力学的に安定したルーフシステムを提供するように、互いに協働する。このことは、ブロックを持ち上げる傾向のあるブロック上の空気圧の突然の減少に対応するように、列でバラストブロックを配置し空気と水がブロックの間、又は中を流れるようにすることによって果たされる。このバラストブロックは、ブロックを横切る強い風の条件によって惹き起こされる空気力学的な持ち上げ力の影響を実質的に少なくするユニークな屋根構造をもたらす。ブロックは軽く、低コストで製造でき、取り付けや、仮に損傷した場合も取り外しが比較的容易である。
勿論、添付の請求範囲に表現されている本発明の趣旨と範囲内において、当業者によって、本発明を説明するためにここに説明され図示されている、詳細、材料、部品の処理と配置について、様々な変更がなされる可能性があることは、理解されるであろう。
【図６】
0003545417.tif 000002
【図１２】
0003545417.tif 000003
【図１】
0003545417.tif 000004
【図２】
0003545417.tif 000005
【図３】
0003545417.tif 000006
【図４】
0003545417.tif 000007
【図５】
0003545417.tif 000008
【図７】
0003545417.tif 000009
【図８】
0003545417.tif 000010
【図９】
0003545417.tif 000011
【図１０】
0003545417.tif 000012
【図１１】
0003545417.tif 000013
【図１６】
0003545417.tif 000014
【図１３】
0003545417.tif 000015
【図１７】
0003545417.tif 000016
【図１４】
0003545417.tif 000017
【図１５】
0003545417.tif 000018
【図１８】
0003545417.tif 000019
【図１９】
0003545417.tif 000020
【図２０】
0003545417.tif 000021